(57)【要約】【課題】バスケットを上方から回転駆動する構成をとる場合に、バスケットを収容するケーシングの上部に作業用開口部を形成することを可能にした遠心分離機を提供する。【解決手段】ケーシング１の上端の開口部を閉じる蓋部１Ｃを、バスケット６の開口部の内径よりも小さい幅寸法をもってバスケットの径方向に延びるように設けられて両端がケーシングの上端に固定された固定梁１０１と、固定梁１０１の幅方向の両側でケーシングの開口部を閉じる蓋板部１０２及び１０３とにより構成し、バスケットの回転軸を支持する軸受け装置４と、回転軸を駆動する回転駆動装置７とを固定梁１０２に支持した。蓋板部１０２及び１０３の少なくとも一方を外すことにより、ケーシングの開口部の一部を作業用開口部として外部に開口させることができるようにした。【選択図】    図２
2018183764.tif 000002
【特許請求の範囲】
【請求項１】
上端に開口部を有するケーシング本体と、該ケーシング本体の上端の開口部を閉じる蓋部とを有するケーシングと、前記ケーシングの蓋部に支持された軸受け装置と、下端を前記ケーシング内に位置させ、かつ軸線を上下方向に向けた状態で前記軸受装置により回転自在に支持された回転軸と、円筒状の周壁部と該周壁部の下端側に設けられた底壁部と該周壁部の上端から径方向の内側に突出した状態で設けられた環状の端部壁とを有して、前記周壁部の中心軸線を上下方向に向け、かつ前記端部壁の内側を通して前記回転軸を前記周壁部の内側に受け入れた状態で前記ケーシング内に配置されて前記底壁部が前記回転軸の下端に結合されたバスケットと、前記回転軸を回転駆動する回転駆動装置とを備えた遠心分離機であって、
前記ケーシングの蓋部は、前記バスケットの端部壁の内径よりも小さい幅寸法をもって前記バスケットの径方向に伸びるように設けられて前記ケーシング本体の上端に両端が固定された固定梁と、前記ケーシング本体の開口部の前記固定梁によっては塞がれていない部分のうち、前記固定梁の幅方向の一端側の側方で上方に開口する第１の開口部及び前記固定梁の幅方向の他端側の側方で上方に開口する第２の開口部をそれぞれ塞ぐ第１の蓋板部及び第２の蓋板部とを備え、
前記固定梁には、前記軸受装置と前記回転駆動装置とが支持され、
前記第１の蓋板部及び第２の蓋板部の少なくとも一方は開閉可能又は着脱可能に設けられていて、前記第１の開口部及び第２の開口部の少なくとも一方を作業用開口部として外部に開口させ得るように構成されていること、
を特徴とする遠心分離機。
【請求項２】
前記第１の蓋板部及び第２の蓋板部の少なくとも一方は、前記ケーシング本体の上端にヒンジを介して開閉可能に支持されている請求項１に記載の遠心分離機。
【請求項３】
前記第１の蓋板部及び第２の蓋板部の少なくとも一方は複数の蓋板構成部材に分割され、該複数の蓋板構成部材のそれぞれが前記ケーシング本体の上端にヒンジを介して開閉可能に支持されている請求項２に記載の遠心分離機。
【請求項４】
前記第１の蓋板部及び第２の蓋板部の少なくとも一方は、前記固定梁の幅方向の端部にヒンジを介して開閉可能に支持されている請求項１に記載の遠心分離機。
【請求項５】
前記第１の蓋板部及び第２の蓋板部の少なくとも一方は複数の蓋板構成部材に分割され、該複数の蓋板構成部材のそれぞれが前記固定梁にヒンジを介して開閉可能に支持されている請求項４に記載の遠心分離機。
【請求項６】
上端に開口部を有するケーシング本体と、該ケーシング本体の上端の開口部を閉じる蓋部とを有するケーシングと、前記ケーシングの蓋部に支持された軸受け装置と、下端を前記ケーシング内に位置させ、かつ軸線を上下方向に向けた状態で前記軸受装置により回転自在に支持された回転軸と、円筒状の周壁部と該周壁部の下端側に設けられた底壁部と該周壁部の上端から径方向の内側に突出した状態で設けられた環状の端部壁とを有して、前記周壁部の中心軸線を上下方向に向け、かつ前記端部壁の内側を通して前記回転軸を前記周壁部の内側に受け入れた状態で前記ケーシング内に配置されて前記底壁部が前記回転軸の下端に結合されたバスケットと、前記回転軸を回転駆動する回転駆動装置とを備えた遠心分離機であって、
前記ケーシングの蓋部は、前記バスケットの端部壁の内径よりも小さい幅寸法をもって前記バスケットの径方向に伸びるように設けられて前記ケーシング本体の上端に両端が固定された固定梁と、前記ケーシング本体の開口部の前記固定梁によっては塞がれていない部分のうち、前記固定梁の幅方向の一端側の側方で上方に開口する第１の開口部及び前記固定梁の幅方向の他端側の側方で上方に開口する第２の開口部をそれぞれ塞ぐ第１の蓋板部及び第２の蓋板部とを備え、
前記固定梁には、前記軸受装置と前記回転駆動装置とが支持され、
前記第１の開口部の輪郭線に沿って延びる輪郭形状を有する第１のフランジ板及び前記第２の開口部の輪郭線に沿って延びる輪郭形状を有する第２のフランジ板が前記ケーシングの上端に固定されて、前記第１の蓋板部及び第２の蓋板部がそれぞれ前記第１の開口部及び第２の開口部を塞ぐ位置に配置されたときに前記第１の蓋板部と前記第１のフランジ板との間及び前記第２の蓋板部と前記第２のフランジ板との間にそれぞれ介在する第１のパッキン及び第２のパッキンが前記第１のフランジ板の上及び第２のフランジ板の上にそれぞれ配設され、
前記第１の蓋板部及び第２の蓋板部はそれぞれ、第１のヒンジ及び第２のヒンジを介して前記ケーシング本体の上端に開閉可能に支持され、
前記第１の蓋板部及び第２の蓋板部はそれぞれ前記第１のパッキン及び第２のパッキンを介して前記第１のフランジ板及び第２のフランジ板の上に配置された状態で前記第１のフランジ板及び第２のフランジ板にボルトにより締結されることにより前記第１の開口部及び第２の開口部をそれぞれ塞いだ状態に保持されること、
を特徴とする遠心分離機。
【請求項７】
上端に開口部を有するケーシング本体と、該ケーシング本体の上端の開口部を閉じる蓋部とを有するケーシングと、前記ケーシングの蓋部に支持された軸受け装置と、下端を前記ケーシング内に位置させ、かつ軸線を上下方向に向けた状態で前記軸受装置により回転自在に支持された回転軸と、円筒状の周壁部と該周壁部の下端側に設けられた底壁部と該周壁部の上端から径方向の内側に突出した状態で設けられた環状の端部壁とを有して、前記周壁部の中心軸線を上下方向に向け、かつ前記端部壁の内側を通して前記回転軸を前記周壁部の内側に受け入れた状態で前記ケーシング内に配置されて前記底壁部が前記回転軸の下端に結合されたバスケットと、前記回転軸を回転駆動する回転駆動装置とを備えた遠心分離機であって、
前記ケーシングの蓋部は、前記バスケットの端部壁の内径よりも小さい幅寸法をもって前記バスケットの径方向に伸びるように設けられて前記ケーシング本体の上端に両端が固定された固定梁と、前記ケーシング本体の開口部の前記固定梁によっては塞がれていない部分のうち、前記固定梁の幅方向の一端側の側方で上方に開口する第１の開口部及び前記固定梁の幅方向の他端側の側方で上方に開口する第２の開口部をそれぞれ塞ぐ第１の蓋板部及び第２の蓋板部とを備え、
前記固定梁には、前記軸受装置と前記回転駆動装置とが支持され、
前記第１の開口部の輪郭線に沿って延びる輪郭形状を有する第１のフランジ板及び前記第２の開口部の輪郭線に沿って延びる輪郭形状を有する第２のフランジ板が前記ケーシングの上端に固定されて、前記第１の蓋板部及び第２の蓋板部がそれぞれ前記第１の開口部及び第２の開口部を塞ぐ位置に配置されたときに前記第１の蓋板部と前記第１のフランジ板との間及び前記第２の蓋板部と前記第２のフランジ板との間にそれぞれ介在する第１のパッキン及び第２のパッキンが前記第１のフランジ板の上及び第２のフランジ板の上にそれぞれ配設され、
前記第１の蓋板部及び第２の蓋板部はそれぞれ、第１のヒンジ及び第２のヒンジを介して前記固定梁の幅方向の一端及び他端に開閉可能に支持され、
前記第１の蓋板部及び第２の蓋板部はそれぞれ前記第１のパッキン及び第２のパッキンを介して前記第１のフランジ板及び第２のフランジ板の上に配置された状態で前記第１のフランジ板及び第２のフランジ板にボルトにより締結されることにより前記第１の開口部及び第２の開口部をそれぞれ塞いだ状態に保持されること、
を特徴とする遠心分離機。
【請求項８】
前記第１のヒンジ及び第２のヒンジはそれぞれ前記固定梁の幅方向の一端及び他端に上下動可能に支持されている請求項７に記載の遠心分離機。
【請求項９】
前記第１のヒンジ及び第２のヒンジをそれぞれ上下に変位させる第１のヒンジ変位機構及び第２のヒンジ変位機構が設けられ、
前記第１のヒンジ変位機構により前記第１のヒンジを上方に変位させた際及び前記第２のヒンジ変位機構により前記第２のヒンジを上方に変位させた際に、前記第１の蓋板部の固定梁側の端部と前記第１のパッキンとの間及び前記第２の蓋板部の固定梁側の端部と前記第２のパッキンとの間にそれぞれ隙間が形成されて、前記第１の蓋板部及び第２の蓋板部の回動が許容された状態になり、前記第１のヒンジ変位機構により前記第１のヒンジを下方に変位させた際及び前記第２のヒンジ変位機構により前記第２のヒンジを下方に変位させた際に、前記第１の蓋板部の固定梁側の端部及び第２の蓋板部の固定梁側の端部がそれぞれ下方に変位させられて前記第１のパッキン及び第２のパッキンに押し付けられた状態にされるように構成されていること、
を特徴とする請求項８に記載の遠心分離機。
【請求項１０】
前記第１のヒンジは、前記固定梁の幅方向の一端に固定された第１の軸支持金具に上下動可能に支持された第１の可動軸と、前記第１の蓋板部に固定されるとともに前記第１の可動軸の下端に回動自在に支持された第１の可動部材とを備え、
前記第２のヒンジは、前記固定梁の幅方向の他端に固定された第２の軸支持金具に上下動可能に支持された第２の可動軸と、前記第２の蓋板部に固定されるとともに前記第２の可動軸の下端に回動自在に支持された第２の可動部材とを備え、
前記第１のヒンジ変位機構は、前記第１の可動軸に回転自在に嵌合された第１の回転部材と、前記第１の回転部材の回転変位を上下方向の変位に変換して前記第１の可動軸に伝達する第１の変位伝達機構とを備え、
前記第２のヒンジ変位機構は、前記第２の可動軸に回転自在に嵌合された第２の回転部材と、前記第２の回転部材の回転変位を上下方向の変位に変換して前記第２の可動軸に伝達する第２の変位伝達機構とを備えていることを特徴とする請求項９に記載の遠心分離機。
【請求項１１】
上端に開口部を有するケーシング本体と、該ケーシング本体の上端の開口部を閉じる蓋部とを有するケーシングと、前記ケーシングの蓋部に支持された軸受け装置と、下端を前記ケーシング内に位置させ、かつ軸線を上下方向に向けた状態で前記軸受装置により回転自在に支持された回転軸と、円筒状の周壁部と該周壁部の下端側に設けられた底壁部と該周壁部の上端から径方向の内側に突出した状態で設けられた環状の端部壁とを有して、前記周壁部の中心軸線を上下方向に向け、かつ前記端部壁の内側を通して前記回転軸を前記周壁部の内側に受け入れた状態で前記ケーシング内に配置されて前記底壁部が前記回転軸の下端に結合されたバスケットと、前記回転軸を回転駆動する回転駆動装置とを備えた遠心分離機であって、
前記ケーシングの蓋部は、前記バスケットの端部壁の内径よりも小さい幅寸法をもって前記バスケットの径方向に伸びるように設けられて前記ケーシング本体の上端に両端が固定された固定梁と、前記ケーシング本体の開口部の前記固定梁によっては塞がれていない部分のうち、前記固定梁の幅方向の一端側の側方で上方に開口する第１の開口部及び前記固定梁の幅方向の他端側の側方で上方に開口する第２の開口部をそれぞれ塞ぐ第１の蓋板部及び第２の蓋板部とを備え、
前記固定梁には、前記軸受装置と前記回転駆動装置とが支持され、
前記第１の開口部の輪郭線に沿って延びる輪郭形状を有する第１のフランジ板及び前記第２の開口部の輪郭線に沿って延びる輪郭形状を有する第２のフランジ板が前記ケーシングの上端に固定されて、前記第１の蓋板部及び第２の蓋板部がそれぞれ前記第１の開口部及び第２の開口部を塞ぐ位置に配置されたときに前記第１の蓋板部と前記第１のフランジ板との間及び前記第２の蓋板部と前記第２のフランジ板との間にそれぞれ介在する第１のパッキン及び第２のパッキンが前記第１のフランジ板の上及び第２のフランジ板の上にそれぞれ配設され、
前記第１の蓋板部は、前記固定梁の幅方向の一端にヒンジを介して開閉可能に支持された状態で設けられて、前記第１のパキンを介して前記第１のフランジ板の上に配置された状態で前記第１のフランジ板にボルトによって締結されることにより前記第１の開口部を塞いだ状態に保持されるように設けられ、
前記第２の蓋板部は、前記第２のパキンを介して第２のフランジ板の上に配置された状態で前記第２のフランジ板にボルトによって締結されることにより前記第２の開口部を塞いだ状態に保持されること、
を特徴とする遠心分離機。
【請求項１２】
前記第１の蓋板部を前記固定梁の幅方向の一端に支持するヒンジは前記固定梁の幅方向の一端に上下動可能に支持されている請求項１１に記載の遠心分離機。
【請求項１３】
前記第１の蓋板部及び第２の蓋板部の少なくとも一方に窓部が設けられて、該窓部が着脱可能又は開閉可能な閉鎖板により閉じられている請求項１ないし１２の何れか一つに記載の遠心分離機。
【請求項１４】
前記閉鎖板には透明な板により閉じられた覗き窓が形成されている請求項１３に記載の遠心分離機。
【請求項１５】
前記固定梁は、前記バスケットの開口部の内径よりも小さい幅寸法をもって前記バスケットの径方向に伸びる基板部と、該基板部の幅方向の両端からそれぞれ上方に起立した状態で設けられて該基板部に一体化された補強部材とを有するチャンネル構造を有している前記請求項１ないし１４の何れか一つに記載の遠心分離機。
【請求項１６】
前記固定梁には、前記バスケット内に形成されたケーキを掻き取るケーキ掻取装置と前記バスケット内に原液を供給する給液パイプとが更に支持されている請求項１ないし１５の何れか一つに記載の遠心分離機。
【請求項１７】
前記固定梁は、その長手方向の両端が前記ケーシング本体の上端に設けられたフランジに締結されるとともに、前記ケーシングの側面の上端に溶接された固定梁支持部材にも結合されることにより前記ケーシング本体の上端に固定されていることを特徴とする請求項１ないし１６の何れか一つに記載の遠心分離機。
【発明の詳細な説明】
【技術分野】
【０００１】
本発明は、遠心力を利用して原液を液分とケーキとに分離する処理を行う遠心分離機に関するものである。
【背景技術】
【０００２】
周知のように、遠心分離機は、かご形のバスケットと、バスケットを収容するケーシングと、電動機又は油圧モータを駆動源としてバスケットの回転軸を回転駆動する回転駆動装置とを備えていて、高速回転しているバスケット内に原液を供給して、バスケットの回転に伴って生じる遠心力を原液に作用させることにより、原液を液分とケーキ分（固形分）とに分離する処理（固液分離処理）を行う。
【０００３】
遠心分離機としては、バスケットの中心軸線を上下方向に向けた状態で配置する縦型の遠心分離機と、バスケットの中心軸線を水平方向に向けた状態で配置する横型の遠心分離機とが用いられているが、設置スペースを節約する上では、縦型の遠心分離機が有利である。
【０００４】
縦型の遠心分離機においては、バスケットの上端に開口部が設けられ、バスケットの底壁部に固形物排出孔が設けられている。固液分離処理を行う際には、バスケットの上端の開口部を通してバスケット内に原液が供給され、固液分離処理によりバスケット内に形成されたケーキ分がケーキ排出孔を通して下方に排出される。
【０００５】
縦型の遠心分離機としては、特許文献１に開示されているように、バスケットの回転軸をバスケットの下方から回転駆動する形式のものと、特許文献２に開示されているように、バスケットの回転軸をバスケットの上方から回転駆動する形式のものとがある。バスケットの回転軸をバスケットの下方から回転駆動する形式の遠心分離機では、バスケットの下方に配置されたフレームに軸受装置を介してバスケットの回転軸が支持され、バスケットの下方に配置された回転駆動装置によりバスケットの回転軸が駆動される。
【０００６】
またバスケットの回転軸をバスケットの上方から回転駆動する形式の遠心分離機では、バスケットを収容するケーシングの上端に形成された開口部を閉じる蓋部に取り付けられた軸受装置により回転軸が支持され、この回転軸の下端がケーシング内のバスケットの底壁部に結合されている。従って、バスケットはその回転軸と共にケーシングの蓋部に支持された状態にあり、ケーシングの蓋部とバスケットとは一体不可分の関係にある。
【０００７】
バスケットの回転軸をバスケットの上方から回転駆動する形式の遠心分離機は、バスケットの下方に回転駆動装置が存在しないため、バスケットの下部からのケーキの排出を容易に行うことができるという特長がある。
【０００８】
本明細書においては、バスケットの回転軸をバスケットの下方から回転駆動する形式の遠心分離機を下部駆動型遠心分離機と呼び、バスケットの回転軸をバスケットの上方から回転駆動する形式の遠心分離機を上部駆動型遠心分離機と呼ぶ。
【先行技術文献】
【特許文献】
【０００９】
【特許文献１】特開２０００−４２４４９号公報（図１）
【特許文献２】特開２００３−９３８１１号公報（図１，図３）
【発明の概要】
【発明が解決しようとする課題】
【００１０】
特許文献２に示されたような上部駆動型遠心分離機においては、バスケットと、その回転軸と、回転軸を支持する軸受け装置と、回転軸を駆動する回転駆動装置とを含む重量物を、バスケットが収容されるケーシングの蓋部に支持する必要があるが、従来のこの種の遠心分離機では、ケーシングの蓋部全体を、これらの重量物を支持するフレームとして機能させており、ケーシングの蓋部全体とバスケットとが一体不可分の関係にあったため、ケーシングの蓋部をケーシング本体から取り外しても、バスケットの開口部を露呈させることができなかった。そのため、従来の上部駆動型遠心分離機においては、分解してバスケットを回転軸から外さないと、バスケットの開口部を露呈させることができなかったため、バスケット内の洗浄作業や、バスケット内周に取り付けるフィルタの着脱作業等のメンテナンス作業に多くの手間がかかるという問題があった。
【００１１】
なおケーシングの蓋部に窓部を設けて、この窓部を通してバスケット内の洗浄作業や、フィルタの着脱作業を行うようにすることも考えられるが、従来の上部駆動型遠心分離機では、ケーシングの蓋部全体を、重量物を支えるフレームとして機能させていることから、機械的強度を低下させる要因になる大きな窓部をケーシングの蓋部に設けることは許容されなかったため、ケーシングの蓋部に窓部を設けたとしても、その窓部を通して行うことができるメンテナンス作業はバスケットの洗浄などに限定されるという問題があった。
【００１２】
本発明の目的は、バスケットを上方から回転駆動する構成をとる縦型の遠心分離機において、バスケットを支持するために必要な機器とバスケットを回転駆動するために必要な機器とを含む重量物を、バスケットを収容したケーシングの蓋部に支障なく支えることができるようにすると共に、蓋部の機械的強度を低下させることなく、ケーシングの上部に大きな作業用開口部を形成することができるようにして、ケーシング内でのメンテナンス作業を容易に行うことができるようにすることにある。
【課題を解決するための手段】
【００１３】
本発明は、上端に開口部を有するケーシング本体と、該ケーシング本体の上端の開口部を閉じる蓋部とを有するケーシングと、前記ケーシングの蓋部に支持された軸受け装置と、下端を前記ケーシング内に位置させ、かつ軸線を上下方向に向けた状態で前記軸受装置により回転自在に支持された回転軸と、円筒状の周壁部と該周壁部の下端側に設けられた底壁部と該周壁部の上端から径方向の内側に突出した状態で設けられた環状の端部壁とを有して、前記周壁部の中心軸線を上下方向に向け、かつ前記端部壁の内側を通して前記回転軸を前記周壁部の内側に受け入れた状態で前記ケーシング内に配置されて前記底壁部が前記回転軸の下端に結合されたバスケットと前記回転軸を回転駆動する回転駆動装置とを備えた遠心分離機を対象とする。
【００１４】
本発明においては、前記ケーシングの蓋部を、バスケットの端部壁の内径（バスケットの開口部の内径）よりも小さい幅寸法をもってバスケットの径方向に伸びるように設けられてケーシング本体の上端に両端が固定された固定梁と、ケーシング本体の開口部の固定梁によっては塞がれていない部分のうち、固定梁の幅方向の一端側の側方で上方に開口する第１の開口部及び固定梁の幅方向の他端側の側方で上方に開口する第２の開口部をそれぞれ塞ぐ第１の蓋板部及び第２の蓋板部とを備えた構造として、前記軸受装置と回転駆動装置とを前記固定梁に支持するようにした。
【００１５】
また本発明においては、第１の蓋板部及び第２の蓋板部の少なくとも一方を、開閉可能又は着脱可能に設けて、上記第１の開口部及び第２の開口部の少なくとも一方を作業用開口部として外部に開口させ得るように構成した。
【００１６】
上記のように構成すると、第１の蓋板部及び第２の蓋板部の少なくとも一方を開くか、又は取り外すことにより、ケーシングの上部に作業用開口部を形成することができる。本発明においては、固定梁の幅寸法がバスケットの端部壁の内径（バスケットの開口部の内径）よりも小さく設定されていることにより、バスケットの開口部の一部を上記作業用開口部を通して外部に開口させた状態にすることができるため、バスケット内で行うメンテナンス作業や修理作業をケーシングの外部から上記作業用開口部を通して容易に行うことができる。バスケット内で行うメンテナンス作業とは、バスケット内を洗浄する洗浄作業や、バスケットの内周にフィルタを着脱する作業などである。
【００１７】
また上記のように構成すると、バスケットに結合された回転軸を支持した軸受装置と回転軸を回転駆動する回転駆動装置とを含む重量物が、ケーシングの蓋部の一部を構成する固定梁に支持されるので、蓋部の一部をなす固定梁の部分の機械的強度に配慮するだけで、重量物を支持するために必要な機械的強度を確保することができ、ケーシングの蓋部全体に重量物を支持するフレームとしての機能を持たせていた従来の遠心分離機に比べてコストの低減を図ることができる。
【００１８】
本発明の一態様では、第１の蓋板部及び第２の蓋板部の少なくとも一方が、ケーシング本体の上端にヒンジを介して開閉可能に支持される。
【００１９】
上記のように、第１の蓋板部及び第２の蓋板部の少なくとも一方をケーシング本体の上端にヒンジを介して開閉可能に支持する構成をとる場合、第１の蓋板部及び第２の蓋板部の少なくとも一方を複数の蓋板構成部材に分割して、該複数の蓋板構成部材のそれぞれをケーシング本体の上端にヒンジを介して開閉可能に支持するように構成することができる。
【００２０】
ケーシング本体の上端に蓋板部をヒンジを介して支持する場合、蓋板部はケーシングの外側に開くことになるが、この場合、作業用開口部を通して行う作業を、開かれた蓋板に邪魔されることなく容易に行うことができるようにするためには、開かれた蓋板部をケーシングの側方で垂下した状態に配置しておくことが好ましい。ところが、一般に遠心分離機においては、ケーシングを支持する支持装置などがケーシングの側方に障害物として存在しているため、開かれた蓋板部をケーシングの側方で垂下した状態に配置しておくことができるように、設計することが困難になることがある。上記のように、蓋板部を複数の蓋板構成部材に分割しておくと、分割の仕方を工夫することにより、ケーシングの側方に障害物が存在する場合でも、蓋板部をケーシングの側方で垂下した状態になる位置まで開くことを可能にするための設計を容易にすることができる。また蓋板部を複数の蓋板構成部材に分割した場合には、蓋板部を開閉する際に蓋板部全体よりも軽量な蓋板構成部材を取り扱えばよいため、蓋板部を開閉する作業を容易にすることができる。
【００２１】
本発明の好ましい態様では、第１の蓋板部及び第２の蓋板部の少なくとも一方が、固定梁の幅方向の端部にヒンジを介して開閉可能に支持される。
【００２２】
上記のように、蓋板部を固定梁の幅方向の端部にヒンジを介して支持するようにすると、開かれた蓋板部を固定梁の側方に起立した状態で配置することができるため、開かれた蓋板部が作業用開口部を通して行う作業を妨げることになるのを防ぐことができる。
【００２３】
上記のように第１の蓋板部及び第２の蓋板部の少なくとも一方を固定梁にヒンジを介して開閉可能に支持する場合も、第１の蓋板部及び第２の蓋板部の少なくとも一方を複数の蓋板構成部材に分割して、該複数の蓋板構成部材のそれぞれを固定梁にヒンジを介して開閉可能に支持する構成をとることができる。
【００２４】
本発明の一態様では、第１の開口部の輪郭線に沿って延びる輪郭形状を有する第１のフランジ板及び第２の開口部の輪郭線に沿って延びる輪郭形状を有する第２のフランジ板がケーシングの上端に固定されて、第１の蓋板部及び第２の蓋板部がそれぞれ第１の開口部及び第２の開口部を塞ぐ位置に配置されたときに第１の蓋板部と第１のフランジ板との間及び第２の蓋板部と第２のフランジ板との間にそれぞれ介在する第１のパッキン及び第２のパッキンが第１のフランジ板の上及び第２のフランジ板の上にそれぞれ配設される。また第１の蓋板部及び第２の蓋板部はそれぞれ、第１のヒンジ及び第２のヒンジを介してケーシング本体の上端に開閉可能に支持される。この場合、第１の蓋板部及び第２の蓋板部はそれぞれ第１のパッキン及び第２のパッキンを介して第１のフランジ板及び第２のフランジ板の上に配置された状態で第１のフランジ板及び第２のフランジ板にボルトにより締結されることにより第１の開口部及び第２の開口部をそれぞれ塞いだ状態に保持される。
【００２５】
上記のように第１のフランジ板及び第２のフランジ板を設けて、これらのフランジ板の上に第１のパッキン及び第２のパッキンを設ける場合にも、第１の蓋板部及び第２の蓋板部をそれぞれ第１のヒンジ及び第２のヒンジを介して固定梁の幅方向の一端及び他端に開閉可能に支持する構成を採用することができる。
【００２６】
上記のように、第１の蓋板部及び第２の蓋板部をそれぞれ第１のヒンジ及び第２のヒンジを介して固定梁の幅方向の一端及び他端に開閉可能に支持するようにしておくと、第１の蓋板部及び第２の蓋板部を開いた際に、該第１の蓋板部及び第２の蓋板部をそれぞれ固定梁の幅方向の一端の側方及び固定梁の幅方向の他端の側方に起立した状態で配置することができる。この場合、開かれた状態にある第１の蓋板部及び第２の蓋板部を配置するためのスペースをケーシングの側方に確保しておく必要がないため、遠心分離機の据え付けスペースの節約を図ることができる。
【００２７】
上記のように第１の蓋板部及び第２の蓋板部をそれぞれ第１のヒンジ及び第２のヒンジを介して固定梁の幅方向の一端及び他端に開閉可能に支持する構成を採用する場合、第１のヒンジ及び第２のヒンジはそれぞれ固定梁の幅方向の一端及び他端に上下動可能に支持しておくのが好ましい。
【００２８】
上記のように、第１のヒンジ及び第２のヒンジをそれぞれ固定梁の幅方向の一端及び他端に上下動可能に支持しておくと、第１の蓋板部を開く際及び第２の蓋板部を開く際に第１の蓋板部の固定梁側の端部及び第２の蓋板部の固定梁側の端部が第１のパッキン及び第２のパッキンと干渉しようとしたときに第１のヒンジ及び第２のヒンジを上方に変位させて第１の蓋板部の固定梁側の端部及び第２の蓋板部の固定梁側の端部をそれぞれ第１のパッキン及び第２のパッキンから離すか、または第１のパッキン及び第２のパッキンに無理な力を加えない状態にすることができるため、第１のパッキン及び第２のパッキンを損傷することなく第１の蓋板部及び第２の蓋板部を開くことができる。
【００２９】
上記のように第１のヒンジ及び第２のヒンジをそれぞれ固定梁の幅方向の一端及び他端に上下動可能に支持する場合には、第１のヒンジ及び第２のヒンジをそれぞれ上下に変位させる第１のヒンジ変位機構及び第２のヒンジ変位機構を設けて、第１のヒンジ変位機構により第１のヒンジを上方に変位させた際及び第２のヒンジ変位機構により第２のヒンジを上方に変位させた際に、第１の蓋板部の固定梁側の端部と第１のパッキンとの間及び第２の蓋板部の固定梁側の端部と第２のパッキンとの間にそれぞれ隙間が形成されて、第１の蓋板部及び第２の蓋板部の回動が許容された状態になり、第１のヒンジ変位機構により第１のヒンジを下方に変位させた際及び第２のヒンジ変位機構により第２のヒンジを下方に変位させた際に、第１の蓋板部の固定梁側の端部及び第２の蓋板部の固定梁側の端部がそれぞれ下方に変位させられて第１のパッキン及び第２のパッキンに押し付けられた状態にされるように構成しておくのが好ましい。
【００３０】
上記のように構成する場合、第１のヒンジには、固定梁の幅方向の一端に固定された第１の軸支持金具に上下動可能に支持された第１の可動軸と、第１の蓋板部に固定されるとともに第１の可動軸の下端に回動自在に支持された第１の可動部材とを備えた構成を持たせることができ、第２のヒンジには、固定梁の幅方向の他端に固定された第２の軸支持金具に上下動可能に支持された第２の可動軸と、第２の蓋板部に固定されるとともに第２の可動軸の下端に回動自在に支持された第２の可動部材とを備えた構成を持たせることができる。また第１のヒンジ変位機構には、第１の可動軸に回転自在に嵌合された第１の回転部材と、第１の回転部材の回転変位を上下方向の変位に変換して第１の可動軸に伝達する第１の変位伝達機構とを備えた構成を持たせることができ、第２のヒンジ変位機構には、第２の可動軸に回転自在に嵌合された第２の回転部材と、第２の回転部材の回転変位を上下方向の変位に変換して前記第２の可動軸に伝達する第２の変位伝達機構とを備えた構成を持たせることができる。
【００３１】
本発明の他の態様では、第１の蓋板部のみが固定梁の幅方向の一端にヒンジを介して開閉可能に支持された状態で設けられて、第１のパキンを介して第１のフランジ板の上に配置された状態で第１のフランジ板にボルトによって締結されることにより第１の開口部を塞いだ状態に保持されるように設けられ、第２の蓋板部は、第２のパキンを介して第２のフランジ板の上に配置された状態で該第２のフランジ板にボルトによって締結されることにより第２の開口部を塞いだ状態に保持される。
【００３２】
このように構成する場合も、第１の蓋板部を固定梁の幅方向の一端に支持するヒンジは固定梁の幅方向の一端に上下動可能に支持しておくのが好ましい。
【００３３】
本発明の他の態様では、第１の蓋板部及び第２の蓋板部の少なくとも一方に窓部が設けられて、該窓部が着脱可能又は開閉可能な閉鎖板により閉じられる。
【００３４】
本発明においては、ケーシングの上端開口部を閉じる蓋部の各部の内、固定梁の部分が軸受装置と回転駆動装置とを含む重量物を支える機能を果たし、固定梁の両側に設けられる第１及び第２の蓋板部は重量物を支える必要がないため、これらの蓋板部には大きな窓部を設けても支障を来さない。従って、上記のように構成すると、ケーシングの蓋部に設ける窓部を従来よりも大きくして、当該窓部を通して行うことができる作業に多様性を持たせることができる。
【００３５】
上記の各態様で用いる固定梁は、バスケットの開口部の内径よりも小さい幅寸法をもってバスケットの径方向に伸びる基板部と、該基板部の幅方向の両端からそれぞれ上方に起立した状態で設けられて該基板部に一体化された補強部材とを有するチャンネル構造を有していることが望ましい。このような構造を有する固定梁は、金属板を溶接することにより得てもよく、市販のチャンネル材により構成してもよい。
【００３６】
上記のように固定梁を構成すると、過度に厚い金属板を用いなくても固定梁の機械的強度を確保することができるため、ケーシングの蓋部の全体を重量物の支持手段として用いていた従来の遠心分離機に比べて、ケーシングの蓋部の重量の軽減を図ることができる。従って上記のように構成すると、ケーシングの上部の質量の軽減を図って、遠心分離機の重心位置を下げることができ、遠心分離機の設置の安定化と動作の安定化とを図ることができる。
【００３７】
上記の説明では、固定梁に軸受装置と回転駆動装置とを支持するとしたが、必要に応じて、バスケットの内周に形成されたケーキを掻き取るケーキ掻取装置や、給液パイプ、洗浄液供給パイプなどの他の機器をも固定梁に支持することができる。
【００３８】
本発明においては、固定梁の長手方向の両端がケーシング本体の上端に固定されるが、固定梁のケーシング本体への固定構造には種々の態様を考えることができる。固定梁は、基本的にはケーシング本体の上端に設けられたフランジに締結することによりケーシング本体に固定することができるが、固定梁の取付強度に特に配慮する必要がある場合には、固定梁の固定を強固にするための補強手段を講じることができる。例えば、ケーシングの側面の上端に固定梁支持部材を溶接しておいて、固定梁の長手方向の両端をケーシング本体の上端のフランジに締結するとともに、固定梁の両端と固定梁支持部材との間を適宜の結合手段を介して結合する構造を採用することにより、固定梁の固定構造を強化することができる。
【００３９】
本発明の更に他の態様は、以下に記載される本発明の実施形態についての説明により明らかにされる。
【発明の効果】
【００４０】
本発明によれば、ケーシングの上端の開口部を閉じる蓋部を、バスケットの端部壁の内径よりも小さい幅寸法をもってバスケットの径方向に伸びるように設けられてケーシング本体の上端に両端が固定された固定梁と、この固定梁の幅方向の一端側の端部の側方及び他端側の端部の側方にそれぞれ配置されてケーシングの開口部を閉じる蓋板部とを備えた構成として、軸受装置及び回転駆動装置を固定梁に支持するとともに、固定梁の幅方向の一端側の端部の側方に配置されている蓋板部及び固定梁の幅方向の他端側の端部の側方に配置されている蓋板部の少なくとも一方をケーシングの上端に開閉可能に取り付けるか、又はケーシングの上端に着脱可能に取り付けたので、軸受け装置及び回転駆動装置を含む重量物の支持に支障を来すことなく、ケーシング本体の開口部の一部を作業用開口部として開口させて、バスケットの内周にフィルタを着脱する作業やバスケット内の洗浄作業など、バスケット内で行う必要があるメンテナンス作業を容易に行うことができる。
【００４１】
また本発明によれば、バスケットに結合された回転軸を支持した軸受装置と回転軸を回転駆動する回転駆動装置とを含む重量物がケーシングの蓋部の一部を構成する固定梁に支持されるので、蓋部の一部をなす固定梁の部分の機械的強度に配慮するだけで、重量物を支持するために必要な機械的強度を確保することができ、ケーシングの蓋部全体に重量物を支持するフレームとしての機能を持たせていた従来の遠心分離機に比べて製造コストの低減を図ることができる
【００４２】
また本発明において、第１の蓋板部及び第２の蓋板部の少なくとも一方を固定梁の幅方向の端部にヒンジを介して支持するようにした場合には、開かれた蓋板部を固定梁の側方に起立した状態で配置することができるため、開かれた状態にある蓋板部を配置するためのスペースをケーシングの側方に確保しておく必要性をなくして、遠心分離機の据え付けスペースの節約を図ることができる。
【００４３】
更に、本発明において、蓋板部を固定梁に支持するヒンジを上下動可能に設けた場合には、蓋板部を開く際に、蓋板部の固定梁側の端部が、蓋板部とケーシングの開口部との間のシールを図るパッキンと干渉しようとしたときにヒンジを上方に逃がして、蓋板部の固定梁側の端部をパッキンから浮かすことができるため、パッキンを損傷することなく蓋板部を開くことができる。
【図面の簡単な説明】
【００４４】
【図１】図１は、本発明に係る遠心分離機の一実施形態の構成を示した縦断面図である。
【図２】図２は、図１に示された遠心分離機の上面図である。
【図３】図３は、図１に示された遠心分離機において、ケーシングの蓋部を構成する蓋板部を開いてケーシングの開口部の一部を作業用開口部として開口させた状態を示した上面図である。
【図４】図４は、図１に示された遠心分離機の蓋板部の支持構造を示した要部の断面図である。
【図５】図５は、図１に示された遠心分離機の蓋板部を開いた状態を示した要部の断面図である。
【図６】図６は、本発明に係る遠心分離機の他の実施形態の構成を示す上面図である。
【図７】図７は、本発明に係る遠心分離機の更に他の実施形態の構成を示す上面図である。
【図８】図８は、図７に示した遠心分離機の縦断面図である。
【図９】図９は、図７及び図８に示した遠心分離機で用いるヒンジ及びヒンジ変位機構の上面図である。
【図１０】図１０は、図９のX−X線に沿って断面して示したヒンジ及びヒンジ変位機構の断面図である。
【図１１】図１１は、図９のXI−XI線に沿って断面して示したヒンジ及びヒンジ変位機構の断面図である。
【発明を実施するための形態】
【００４５】
本発明に係わる遠心分離機の一実施形態の構成を図１ないし図５を参照して説明する。図１ないし図５において、１は軸線を上下方向に向けた状態で配置された円筒状のケーシング本体１Ａと、ケーシング本体１Ａの上端に形成された開口部１Ｂを閉じる蓋部１Ｃとを有するケーシングである。ケーシング本体１Ａは、防振装置を備えた支持装置２により３点で支持ベース３上に支持されている。
【００４６】
図１ないし図５において、４はケーシング１の蓋部１Ｃに支持された軸受け装置、５は下端をケーシング１内に位置させ、かつ軸線を上下方向に向けた状態で軸受装置４により回転自在に支持された回転軸、６はケーシング１内に収容されて回転軸５に結合された籠（かご）形のバスケットである。また７は軸受装置４の上端に支持されて回転軸５を回転駆動する回転駆動装置、８はバスケット６の周壁部の内周に取り付けられたフィルタの内側に形成されたケーキを掻き取るケーキ掻取装置である。
【００４７】
９はバスケット６内に原液を供給する給液パイプ、１０はバスケット６を洗浄する際にバスケット６内に洗浄液を供給する洗浄液供給パイプである。これらのパイプ９，１０は、それぞれの中心軸線を上下方向に向けた状態でケーシングの蓋部１Ｃに支持されてバスケット６の開口部６０４を通してバスケット６内に挿入されている。
【００４８】
更に詳細に説明すると、バスケット６は、円筒状の周壁部６０１と、周壁部６０１の下端側に設けられた底壁部６０２と、周壁部６０１の上端から径方向の内側に突出した状態で設けられた環状の端部壁６０３とを有していて、周壁部６０１の中心軸線を上下方向に向け、かつ軸受装置４及び回転軸５と給液パイプ９及び洗浄液供給パイプ１０とを端部壁６０３の内側を通して周壁部６０１の内側に受け入れた状態でケーシング１内に配置されて、底壁部６０２が回転軸５の下端に結合されている。
【００４９】
図示の例では、バスケット６の底壁部６０２が、周壁部６０１の下端から径方向の内側に突出した環状の壁部６０２ａと、周壁部６０１と中心軸線を共有した状態で環状の壁部６０２ａの内周に上端が一体化された円筒部６０２ｂとを備えており、円筒部６０２ｂの内側の中心部にボス部６０２ｃが配置されている。ボス部６０２ｃは、円筒部６０２ｂとボス部６０２ｃとの間に放射状に配置された少なくとも３つのリブ６０２ｄにより円筒部６０２ｂに一体化され、ボス部６０２ｃが回転軸５の下端に結合されることにより、バスケット６の底壁部６０２が回転軸５の下端に結合されている。放射状に配置された少なくとも３つのリブ６０２ｄ相互間に、ケーキ排出孔６０５が形成されている。
【００５０】
バスケット６の周壁部６０１には多数の透過孔（図示せず。）が形成され、周壁部６０１の内周に布、金網、多孔板等からなるフィルタＦ（図３参照）が着脱可能に取り付けられる。
【００５１】
給液パイプ９は、側面に多数の噴出口９ａを有するパイプからなっていて、ケーシングの蓋部１Ｃを貫通した状態で蓋部１Ｃに支持されてバスケット６の開口部６０４からバスケット６内に挿入されている。給液パイプ９は原液を収容したタンク等の原液供給源に、図示しない給液バルブを通して接続されている。
【００５２】
洗浄液供給パイプ１０は、給液パイプ９と同様に側面に多数の噴出口１０ａを備えたパイプからなっていて、ケーシングの蓋部１Ｃを貫通した状態で蓋部１Ｃに支持されてバスケット６内に挿入されている。洗浄液供給パイプ１０は、洗浄液を供給する洗浄液供給タンクに図示しないバルブと給液管とを通して接続される。
【００５３】
ケーシング本体１Ａの下端の内周には、一方向に向けて傾斜するように設けられた底板１Ｄの外周部が溶接され、該底板１Ｄの中央部に設けられた開口部の内周に、上端部がバスケットの底壁部の円筒部６０２ｂを隙間を介して取り囲むように配置された円筒状のケーキ排出ダクト１Ｅが溶接されている。底板１Ｄの最下部に相応する位置でケーシング本体１Ａ内に連通するように排液口１Ｆが設けられている。
【００５４】
回転駆動装置７は，電動機や油圧モータ等の回転駆動源７Ａと、回転駆動源７Ａの回転を減速する減速機７Ｂとからなっている。減速機７Ｂは軸受装置４の上端に支持された減速機ケース７０１内に歯車減速機構を収容したもので、減速機ケース７０１の上端に回転駆動源７Ａが支持され，回転駆動源７Ａの出力軸が減速機ケース７０１内に設けられた歯車減速機構を介して回転軸５の上端に連結されている。
【００５５】
ケーキ掻取装置８は、バスケット６の軸線と平行な方向に（上下方向に）伸びるように設けられて、ケーシング１の蓋部１Ｃを貫通した状態でバスケット６の開口部６０４からバスケット６内に挿入された掻取軸８Ａと、掻取軸８Ａのバスケット内に位置する下端に取り付けられた掻取アーム８Ｂと、掻取アーム８Ｂの先端に取り付けられた掻取刃８Ｃと、掻取アーム旋回用電動機８Ｄと、電動機８Ｄを駆動源として掻取軸８Ａを回転させて掻取アーム８Ｂを旋回させる掻取アーム旋回機構と、掻取軸昇降用電動機８Ｅと、電動機８Ｅを駆動源として掻取軸８Ａを昇降させる掻取軸昇降機構８Ｆとを備えた公知のものである。掻取軸８Ａに付着した原液などがケーキ掻取装置８の機構部に侵入するのを防止するため、掻取軸８Ａのケーシング１内に位置する部分は、該掻取軸８Ａの下降及び上昇に伴って伸縮するベローズ８Ｇにより覆われている。
【００５６】
なお図１において、８Ｈは、掻取軸８Ａが下限位置まで下降した際に、?取軸８Ａの回転に伴ってバスケットの底壁部上で旋回させられて、バスケット６の底壁部上に落下したケーキをケーキ排出孔６０５側に案内する帯板状のガイド部材である。
【００５７】
ケーシングの蓋部１Ｃには、必要に応じてバスケット６内に供給された原液の液面を検出する液面検出装置等が更に支持されることがあるが、これらの図示は省略されている。
【００５８】
以上説明した構成は、バスケット６を上部から回転駆動する形式の従来の縦型遠心分離機の構成と同様であるが、本実施形態においては、バスケット６内でのメンテナンス作業を容易にするために、ケーシング１の蓋部１Ｃに、従来のこの種の遠心分離機で用いられていた蓋部とは異なる構造を持たせている。
【００５９】
本実施形態の遠心分離機で用いられているケーシングの蓋部１Ｃは、図２及び図３に示されているように、バスケット６の開口部６０４の内径（環状の端部壁６０３の内径）よりも十分に小さい幅寸法Ｗ（図２参照）をもってバスケット６の径方向に伸びるように設けられてケーシング本体１Ａの上端に固定された固定梁１０１と、ケーシング本体の上端の開口部の固定梁１０１によっては塞がれていない部分のうち、固定梁１０１の幅方向の一端の側方で上方に開口しているほぼ半月形の第１の開口部１B1を塞ぐための第１の蓋板部１０２と、ケーシング本体の上端の開口部の固定梁１０１によっては塞がれていない部分のうち、固定梁１０１の幅方向の他端の側方で上方に開口しているほぼ半月形の第２の開口部１B2を塞ぐための第２の蓋板部１０３とから構成されている。第１の蓋板部１０２及び第２の蓋板部１０３はそれぞれ、ケーシング本体１Ａの第１の開口部１B1及び第２の開口部１B2を作業用開口部として上方に開口させた状態にし得るように設けられている。
【００６０】
ケーシングの蓋部１Ｃについて更に詳細に説明すると、固定梁１０１は、バスケット６の開口部６０４の内径よりも小さい幅寸法Ｗをもってバスケットの径方向に伸びる帯板状の基板部１０１ａと、基板部１０１ａの幅方向の両端からそれぞれ上方に起立した状態で設けられて基板部１０１ａに溶接等により一体化された一対の長方形の補強板１０１ｂ、１０１ｃとを有するチャンネル構造を有している。固定梁１０１は、その基板部１０１ａの長手方向の両端を、ケーシング本体１Ａの上端に形成された外フランジ１Ｇの上にパッキンを介して当接させた状態で配置されて、基板部１０１ａの長手方向の両端をフランジ１Ｇにボルト１１により締結することによって、ケーシング本体１Ａの上端に固定されている。
【００６１】
第１の蓋板部１０２及び第２の蓋板部１０３はそれぞれ、第１の開口部１B1及び第２の開口部１B2を完全に閉じることができるように、第１の開口部１B1及び第２の開口部１B2の輪郭形状よりも大きいほぼ半月形の輪郭形状を有するように形成されている。
【００６２】
第１の蓋板部１０２によりケーシングの上端の第１の開口部１B1を完全に閉じることができるようにするため、第１の開口部１B1の輪郭線に沿って延びる略半月状の輪郭形状を有する第１のフランジ板１０４がケーシングの上端の外フランジの上に配置されている。図示の第１のフランジ板１０４は、ケーシングの上端の外フランジ１Ｇの第１の開口部１B1の周方向に沿って延びる円弧状部分１０４ａと、固定梁の幅方向の一端側の側面に沿って直線的に伸びる直線部分１０４ｂとを一体に有するほぼ半月形の形状に形成されている。この第１のフランジ板１０４は、その直線部分１０４ｂを固定梁１０１の基板部１０１ａの幅方向の一方の端部側の側面に溶接した状態で設けられていて、固定梁１０１をケーシングの上端に固定した際に、第１のフランジ板１０４の円弧状部分１０４ａがケーシングの上端の外フランジ１Ｇの第１の開口部１B1に沿う円弧状部分の上に載置されるようになっている。
【００６３】
第１のフランジ板１０４の円弧状部分１０４ａには、第１の蓋板部１０２をケーシング本体１Ａの上端に固定する際に用いるボルト１１を貫通させるための孔１２が設けられ、第１のフランジ板１０４の直線部分１０４ｂには、第１の蓋板部１０２の固定梁１０１ａに沿う部分を第１のフランジ板１０４に固定する際に用いるボルト１１をねじ込むためのネジ孔１３が形成されている。
【００６４】
第１の蓋板部１０２は、ケーシング本体の上端の外フランジ１Ｇに沿う部分に設けられた貫通孔１４（図３参照）と、第１のフランジ板１０４の円弧状部分に設けられた孔１２とを貫通させて外フランジ１Ｇに設けられたネジ孔にねじ込まれたボルト１１により外フランジ１Ｇに締結される。また第１の蓋板部１０２の固定梁１０１に沿う部分は、該第１の蓋板部１０２に設けられた孔１４を貫通させたボルト１１を第１のフランジ板１０４の直線部分１０４ｂに設けられたネジ孔１３にねじ込むことにより、第１のフランジ板１０４に締結される。
【００６５】
同様に、第２の蓋板部１０３によりケーシングの上端の第２の開口部１B2を完全に閉じることができるようにするため、第２の開口部１B2の輪郭線に沿って延びる略半月状の輪郭形状を有する第２のフランジ板１０５がケーシングの上端の外フランジの上に配置されている。図示の第２のフランジ板１０５は、ケーシングの上端の外フランジ１Ｇの第２の開口部１B2の周方向に沿って延びる円弧状部分１０５ａと、固定梁の幅方向の一端側の側面に沿って直線的に伸びる直線部分１０５ｂとを一体に有するほぼ半月形の形状に形成されている。この第２のフランジ板１０５は、その直線部分１０５ｂを固定梁１０１の基板部１０１ａの幅方向の他方の端部側の側面に溶接した状態で設けられていて、固定梁１０１をケーシングの上端に固定した際に、第２のフランジ板１０５の円弧状部分１０５ａがケーシングの上端の外フランジ１Ｇの第２の開口部１B2に沿う円弧状部分の上に載置されるようになっている。
【００６６】
第２のフランジ板１０５の円弧状部分１０５ａには、第２の蓋板部１０３をケーシング本体１Ａの上端に固定する際に用いるボルト１１を貫通させるための孔１２が設けられ、第２のフランジ板１０５の直線部分１０５ｂには、第２の蓋板部１０２の固定梁１０１ａに沿う部分をフランジ板１０５に固定する際に用いるボルト１１をねじ込むためのネジ孔１３が形成されている。
【００６７】
第２の蓋板部１０３は、ボルト１１によりケーシング本体の外フランジ１Ｇに締結されるとともに、第２のフランジ板１０５の直線部分１０５ｂにボルト１１により締結されることによりケーシング本体１Ａの上端に固定される。
【００６８】
本実施形態では、第１の蓋板部１０２がヒンジ２１を介してケーシング本体１Ａの上端に開閉自在に取り付けられていて、第１の蓋板部１０２をケーシング本体１Ａ及び第１のフランジ板１０４に締結しているボルトを外して、図３及び図５に示すように、第１の蓋板部１０２をケーシング本体１Ａの上端から離反させるように回動させて開くことにより、ケーシング本体の上端の第１の開口部１B1を作業用開口部として上方に開口させることができるようになっている。固定梁１０１の幅寸法がバスケット６の開口部の内径よりも小さく設定されているため、第１の蓋板部１０２を開いてケーシング本体の上端の第１の開口部１B1を開口させたときに、バスケット６の開口部６０４の一部が作業用開口部６０６として、第１の開口部１B1を通して外部に開口させられる。
【００６９】
同様に、第２の蓋板部１０３は、ヒンジ２２を介してケーシング本体１Ａの上端に開閉自在に取り付けられていて、第２の蓋板部１０３をケーシング本体１Ａ及び第２のフランジ板１０５に締結しているボルトを外して、第２の蓋板部１０３をケーシング本体１Ａの上端から離反させるように回動させて開くことにより、ケーシング本体の上端の第２の開口部１B2を作業用開口部として上方に開口させることができ、このようにしてケーシング本体の上端の第２の開口部１B2を開口させたときに、バスケット６の開口部６０４の一部を作業用開口部６０６として、第２の開口部１B2を通して外部に開口させることができるようになっている。
【００７０】
第１の蓋板部１０２及び第２の蓋板部１０３の開閉操作を容易にするため、これらの蓋板部には取っ手２５が取り付けられている。
【００７１】
なお図２ないし図５には図示されてないが、第１の蓋板部１０２で第１の開口部１B1を閉じた状態で第１の蓋板部１０２と第１のフランジ板１０４との間をシールするため、第１のフランジ板１０４と第１の蓋板部１０２との間に介在させる第１のパッキンを第１のフランジ板１０４の上面に取り付けておくのが好ましい。同様に、第２のフランジ板１０５と第２の蓋板部１０３との間に介在させる第２のパッキンを第２のフランジ板１０５の上面に取り付けておくのが好ましい。
【００７２】
固定梁１０１には、軸受装置４と、給液パイプ９及び洗浄液供給パイプ１０と、ケーキ掻取装置８とが支持され、軸受装置４の上端に回転駆動装置７が支持されている。
【００７３】
本実施形態では、第２の蓋板部１０３に長円状の窓部３１（図３参照）が形成され、この窓部を閉じるように、透明板により塞がれた一対の覗き窓３３，３３を備えた閉鎖板３２（図２参照）が着脱可能に取り付けられている。
【００７４】
本実施形態では、重量がある軸受装置４、バスケット６、回転駆動装置７及びケーキ掻取装置８をすべて固定梁１０１に支持するため、ケーシングの蓋部１Ｃの蓋板部１０２及び１０３には大きな機械的強度を持たせる必要がない。そのため、覗き窓を構成するための窓部３１は従来のこの種の遠心分離機で設けられていた窓部よりも大幅に大きく設けることができる。従って、閉鎖板３２を外した後に開口させられた窓部３１を作業用開口部として用いてバスケット内でのメンテナンス作業を行うこともできる。
【００７５】
上記の実施形態では、ケーシング本体の第１の開口部１B1及び第２の開口部１B2をそれぞれ１枚の蓋板部１０２及び１０３により閉じるようにしているが、各蓋板部は、複数の蓋板構成部材に分割することもできる。
【００７６】
図６は、第１の開口部１B1を閉じる蓋板部１０２を複数の蓋板構成部材に分割した実施形態を示したもので、この例では、第１の蓋板部１０２が、扇形の２つの蓋板構成部材１０２Ａ及び１０２Ｂに分割され、蓋板構成部材１０２Ａ及び１０２Ｂがそれぞれヒンジ２１Ａ及び２１Ｂを介してケーシング本体１Ａの上端に開閉可能に支持されている。この場合、蓋板構成部材１０２Ａ及び１０２Ｂは、ケーシング本体の第１の開口部１B1を閉じた状態にしたときに、隣接する部分がオーバラップした状態で配置されるように構成しておくのが好ましい。
【００７７】
図１ないし図５に示した実施形態においては、第１の蓋板部１０２の側方に支持装置２が存在するため、第１の蓋板部１０２を開いた際に、該第１の蓋板部１０２が支持装置２と干渉するのを避けられない。この場合、第１の蓋板部１０２は、図５に鎖線で示したように垂下した状態になるまで開くことができず、開かれた第１の蓋板部１０２は、図５に実線で示したようにケーシング１から外側に大きく突出した状態で配置されることになるため、第１の蓋板部１０２の側方にある程度広いスペースを確保しておく必要がある。これに対し、図６に示したように、支持装置２の側方に配置される第１の蓋板部１０２を２つの蓋板構成部材１０２Ａ及び１０２Ｂに分割しておくと、蓋板構成部材１０２Ａ及び１０２Ｂを、図５に鎖線で示したように垂下した状態になるまで開くことができるため、開かれた蓋板部がケーシングの外側で大きなスペースを占めるのを防いで、遠心分離機の設置スペースの節約を図ることができる。
【００７８】
上記の各実施形態では、第１の開口部１B1を閉じる蓋板部１０２及び第２の開口部１B2を閉じる蓋板部１０３をケーシング本体の上端にヒンジを介して開閉可能に支持しているが、第１の蓋板部１０２及び第２の蓋板部１０３をそれぞれ固定梁１０１の幅方向の一端及び他端にヒンジを介して開閉可能に支持するようにしても良い。第１の蓋板部１０２及び第２の蓋板部１０３をそれぞれ固定梁１０１の幅方向の一端及び他端にヒンジを介して開閉可能に支持するようにした実施形態を図７ないし図１１に示した。
【００７９】
図７及び図８に示した実施形態においても、ケーシング１の上端の外フランジ１Ｇに、第１の開口部１B1の輪郭線に沿って延びる輪郭形状を有する第１のフランジ板１０４及び第２の開口部１B2の輪郭線に沿って延びる輪郭形状を有する第２のフランジ板１０５が固定されている。
【００８０】
第１のフランジ板１０４は、ケーシング１の上端の外フランジ１Ｇの第１の開口部１B1の周方向に沿って延びる円弧状部分１０４ａと、固定梁１０１の幅方向の一端側の側面に沿って直線的に伸びる直線部分１０４ｂとを一体に有するほぼ半月形の形状に形成され、第２のフランジ板１０５は、ケーシング１の上端の外フランジ１Ｇの第２の開口部１B2の周方向に沿って延びる円弧状部分１０５ａと、固定梁１０１の幅方向の一端側の側面に沿って直線的に伸びる直線部分１０４ｂとを一体に有するほぼ半月形の形状に形成されている。
【００８１】
第１のフランジ板１０４及び第２のフランジ板１０５は、それぞれの直線部分１０４ｂ及び１０５ｂを、固定梁１０１の基板部１０１ａの幅方向の一方の端部側の側面及び固定梁１０１の基板部１０１ａの幅方向の他方の端部側の側面にそれぞれ溶接した状態で設けられていて、固定梁１０１をケーシングの上端に固定した際に、第１のフランジ板１０４の円弧状部分１０４ａ及び第２のフランジ板１０５の円弧状部分１０５ａが、ケーシング１の上端の外フランジ１Ｇの第１の開口部１B1の円弧状部分及び第２の開口部１B2の円弧状部分の上に載置される。
【００８２】
第１のフランジ板１０４の上面及び第２のフランジ板１０５の上面にはそれぞれ両フランジ板の上面と同一の形状を有する第１のパッキン１１１及び第２のパッキン１１２が配置され、第１の蓋板部１０２及び第２の蓋板部１０３がそれぞれ第１の開口部１B1及び第２の開口部１B2を塞ぐ位置に配置されたときに第１の蓋板部１０２と第１のフランジ板１０４との間及び第２の蓋板部１０３と第２のフランジ板１０５との間にそれぞれ第１のパッキン１１１及び第２のパッキン１１２が介在させられる。
【００８３】
図７に示されているように、本実施形態においては、第１の蓋板部１０２及び第２の蓋板部１０３がそれぞれ第１のヒンジ２０１及び第２のヒンジ２０１′を介して固定梁１０１の幅方向の一端及び他端に開閉可能に支持されている。図示の例では、第１の蓋板部１０２を固定梁１０１の幅方向の一端に支持する第１のヒンジ２０１及び第２の蓋板部１０３を固定梁１０１の幅方向の他端に支持する第２のヒンジ２０１′が、固定梁１０１の長手方向に間隔を開けて２個ずつ設けられている。
【００８４】
第１の蓋板部１０２及び第２の蓋板部１０３を固定梁１０１の幅方向の一端及び他端に開閉可能に支持しておくと、図８に示されているように、第１の蓋板部１０２及び第２の蓋板部１０３を開いた際に、第１の蓋板部１０２及び第２の蓋板部１０３をそれぞれ固定梁１０１の幅方向の一端の側方及び固定梁１０１の幅方向の他端の側方に起立した状態で配置することができる。このように構成しておくと、開かれた状態にある第１の蓋板部１０２及び第２の蓋板部１０３を配置するためのスペースをケーシングの側方に確保しておく必要がないため、遠心分離機の据え付けスペースの節約を図ることができる。
【００８５】
第１の蓋板部１０２及び第２の蓋板部１０３をそれぞれ第１のヒンジ２０１及び第２のヒンジ２０１′を介して固定梁１０１に開閉可能に支持する場合、第１の蓋板部１０２及び第２の蓋板部１０３を開く際に、両蓋板部１０２及び１０３の固定梁１０１側の端部がパッキン１１１及び１１２に接触すると、これらのパッキンを損傷するおそれがある。
【００８６】
そこで、本実施形態においては、第１のヒンジ２０１及び第２のヒンジ２０１′をそれぞれ固定梁１０１の幅方向の一端及び他端に上下動可能に支持している。第１のヒンジ２０１及び第２のヒンジ２０１′を固定梁に上下動可能に支持しておくと、第１の蓋板部１０２及び第２の蓋板部１０３を開く際に、第１の蓋板部１０２の固定梁１０１側の端部及び第２の蓋板部１０３の固定梁１０１側の端部を上方に変位させて、第１のパッキン１１１及び第２のパッキン１１２から離した状態にするか、または第１のパッキン１１１及び第２のパッキン１１２に無理な力を加えない状態にすることができるため、第１の蓋板部１０２及び第２の蓋板部１０３を開く際に、両蓋板部１０２及び１０３のヒンジ側の端部がパッキン１１１及び１１２と干渉してこれらのパッキンを損傷するのを防ぐことができる。
【００８７】
本実施形態においては、第１の蓋板部１０２及び第２の蓋板部１０３を開く際に第１の蓋板部１０２の第１のヒンジ２０１側の端部及び第２の蓋板部１０３の第２のヒンジ２０１′側の端部を上方に変位させる操作を容易にするため、第１のヒンジ２０１及び第２のヒンジ２０１′をそれぞれ上下に変位させる第１のヒンジ変位機構２０２及び第２のヒンジ変位機構２０２′が設けられていて、第１のヒンジ変位機構２０２により第１のヒンジ２０１を上方に変位させた際及び第２のヒンジ変位機構２０２′により第２のヒンジ２０１′を上方に変位させた際に、第１の蓋板部１０２の固定梁１０１側の端部と第１のパッキン１１１との間及び第２の蓋板部１０３の固定梁１０１側の端部と第２のパッキン１１２との間にそれぞれ隙間が形成されて第１の蓋板部１０２及び第２の蓋板部１０３の回動が許容された状態になり、第１のヒンジ変位機構２０２により第１のヒンジ２０１を下方に変位させた際及び第２のヒンジ変位機構２０２′により第２のヒンジ２０１′を下方に変位させた際に、第１の蓋板部１０２の固定梁１０１側の端部及び第２の蓋板部１０３の固定梁１０１側の端部がそれぞれ下方に変位させられて第１のパッキン１１１及び第２のパッキン１１２に押し付けられた状態になるように構成されている。
【００８８】
図９ないし図１１を参照すると、本実施形態において第１の蓋板部材１０２を固定梁１０１の幅方向の一端に取り付けるために用いる第１のヒンジ２０１と、このヒンジを上下に変位させる第１のヒンジ変位機構２０２の一構成例が示されている。本実施形態で用いる第１のヒンジ２０１は、固定梁１０１の幅方向の一端の側面にボルト２０３により固定された第１の軸支持金具２０４に上下動可能に支持された第１の可動軸２０５と、第１の可動軸２０５の下端にピン２０６を介して回動自在に支持された第１の可動部材２０７とを備えており、第１の可動部材２０７がボルト２０８（図９参照）により第１の蓋板部１０２に固定されている。
【００８９】
更に詳細に説明すると、第１の支持金具２０４は、矩形状の支持板２０４ａと、支持板２０４ａの中央に一体に設けられたボス部２０４ｂとを備えていて、支持板２０４ａが固定梁１０１の幅方向の一端の側面にボルト２０３（図１０参照）により固定されている。ボス部２０４ｂは、その中心軸線を上下方向に向けた状態で設けられていて、ボス部２０４ｂに第１の可動軸２０５が上下にスライド自在に嵌合されている。
【００９０】
第１の可動部材２０７は、板状の基部２０７ａと、基部２０７ａに一体に設けられた１対のブラケット２０７ｂとを備えていて、基部２０７ａが第１の蓋板部１０２にボルト２０８（図９参照）により固定されている。第１の可動軸２０５の下端には、中心軸線を水平方向に向けたボス部２０５ａが設けられ、このボス部２０５ａが、第１の可動部材２０７に設けられた一対のブラケット２０７ｂ，２０７ｂの間に挿入されてピン２０６によりブラケット２０７ｂ，２０７ｂに結合されている。
【００９１】
第１のヒンジ２０１を上下に変位させる第１のヒンジ変位機構２０２は、第１の可動軸２０５をスライド自在に貫通させる孔を軸心部に有して第１の支持金具２０４のボス部２０４ｂと中心軸線を共有した状態で第１の支持金具２０４のボス部２０４ｂの上端に固定された第１の固定部材２１０と、第１の可動軸２０５を嵌合させる孔を軸心部に有して、第１の可動軸２０５の固定部材２１０から上方に突出している部分に回転自在に嵌合された第１の回転部材２１１と、回転部材２１１の上方への変位を可動軸２０５に伝達するために、第１の回転部材２１１から上方に突出した可動軸２０５の上端部にピン２１２により固定されて、座板２１３を介して回転部材２１１の上端に当接された端部材２１４と、第１の回転部材２１１を第１の可動軸２０５を中心にして回転操作するために該回転部材２１１に一端が固定された操作ハンドル２１５とを備えている。操作ハンドル２１５の他端にはグリップ２１６が設けられている。
【００９２】
図示の例では、固定部材２１０の上端面及び回転部材２１１の下端面にそれぞれ可動軸２０５の中心軸線に対して傾斜したカム面Ｃ１及びＣ２が設けられ、これらのカム面と端部材２１４とにより、第１の回転部材２１１の回転変位を上下方向の変位に変換して第１の可動軸２０５に伝達する第１の変位伝達機構が構成されている。
【００９３】
第１の蓋板部１０２を開く際には、第１の回転部材２１１のカム面Ｃ２が固定部材２１０のカム面に面接触している図示の状態で操作ハンドル２１５を一方向に回動させて第１の回転部材２１１を一方向に回転させる。第１の回転部材２１１を一方向に回転させると、カム面Ｃ２のカム面Ｃ１との接点が傾斜したカム面Ｃ１に沿って移動するため、第１の回転部材２１１が上方に押し上げられる。この第１の回転部材の変位は端部材２１４を介して第１の可動軸２０５に伝達されるため、第１の可動軸２０５が上方に変位させられ、第１のヒンジ２０１が第１の蓋板部１０２の固定梁側の端部とともに上方に変位させられる。従って、第１の蓋板部１０２の固定梁１０１側の端部が第１のパッキン１１１から引き離されて浮き上がり、第１の蓋板部１０２の回動が許容された状態になる。この状態では、第１の蓋板部１０２を、パッキン１１１を損傷させることなく回動させて、図８に示すように固定梁１０１の側方で垂直に起立した状態になる開位置まで開くことができる。
【００９４】
ケーシング１内でのメンテナンス作業や修理作業が終了した後、ケーシングの上端の第１の開口部１B1を閉じる際には、第１の蓋板部１０２を第１の開口部１B1側に回動させて、第１の開口部１B1を第１の蓋板部１０２に接近させた後、操作ハンドル２１３を他方向に回動させて第１の回転部材２１１を他方向に回転させる。第１の回転部材２１１を他方向に回転させると、カム面Ｃ２のカム面Ｃ１との接点をカム面Ｃ１に沿って下方に移動させて第１の回転部材２１１を下方に変位させることができるため、第１の蓋板部１０２の固定梁側の端部を下方に変位させて、第１の蓋板部１０２を第１のパッキン１１１を介して第１のフランジ板１０４に突き当てた状態にすることができる。次いで第１の蓋板部１０２をボルトにより第１のフランジ板１１１及びケーシング本体の外フランジに締結して、第１の蓋板部１０２で第１の開口部１B1を閉じた状態にする。第１の蓋板部１０２の締結構造は、図１ないし図６に示した実施形態と同様である
【００９５】
第２の蓋板部１０３は、固定梁１０１の幅方向の他端に第２のヒンジ２０１′を介して開閉可能に支持されている。本実施形態で用いる第２のヒンジ２０１′は、固定梁１０１の幅方向の他端に取り付けられる点を除き、第１のヒンジ２０１と同様に構成されている。第２のヒンジ２０１′を上下に変位させるため、第１のヒンジ変位機構２０２と同様に構成された第２のヒンジ変位機構２０２′が設けられている。第２のヒンジ２０１′及び第２のヒンジ変位機構２０２′の構成は、図９ないし図１１に示された第１のヒンジ２０１及び第１のヒンジ変位機構２０２の構成と同じであるので、その詳細な説明は省略する。
【００９６】
図７ないし図１１に示した実施形態においては、第１の蓋板部１０２及び第２の蓋板部１０３を開いた際に、これらの蓋板部が、図８に示されているように、固定梁１０１の両側に起立した状態で配置される。このように構成しておくと、第１の蓋板部１０２及び第２の蓋板部１０３を開いた際に、第１の開口部１B1及び第２の開口部１B2の上方に広いスペースを確保することができるため、ケーシング内で行うメンテナンス作業や修理作業を容易に行うことができる。
【００９７】
しかしながら本発明は、上記のように構成する場合に限定されない。例えば、固定梁１０１に支持された機器の一部が、固定梁１０１から第１の蓋板部１０２側及び（又は）第２の蓋板部１０３側に突出した状態で配置されていて、当該機器の固定梁から突出した部分が第１の蓋板部１０２及び（又は）第２の蓋板部１０３の開位置側への（固定梁１０１側への）回動範囲を規制する状態にある場合には、第１の蓋板部１０２及び第２の蓋板部１０３のうち、固定梁に支持された機器の突出部により回動範囲が規制される方の蓋板部の全開位置を、機器の突出部により回動が規制される位置とすることができる。
【００９８】
上記の説明では、固定梁１０１の長手方向の両端をケーシング本体１Ａの上端に形成された外フランジ１Ｇにボルトにより固定するとしたが、固定梁の長手方向の両端をケーシング本体の外フランジに結合するだけでは固定梁とケーシング本体との結合部の機械的強度が不足する場合には、当該結合部の機械的強度を高めるための手段を設けることもできる。例えば、ケーシング本体の外フランジ１Ｇの固定梁１０１が結合される部分の下方に位置させて、ケーシング本体１Ａの胴部の上部に固定梁支持部材を溶接しておき、固定梁１０１の長手方向の両端をケーシング本体の外フランジ１Ｇにボルト結合した上で、更に固定梁１０１の両端と固定梁支持部材とを適宜の結合手段を介して強固に結合する構造を採用することにより、固定梁１０１とケーシング本体との結合部の強度を高めることができる。上記固定梁支持部材としては、箱形や、チャンネル型などの機械的に強固な構造を有するものを用いるのが好ましい。
【００９９】
上記の実施形態では、第１の蓋板部１０２及び第２の蓋板部１０３を、ケーシング本体１Ａの上端又は固定梁１０１の幅方向の一端及び他端にヒンジを介して開閉可能に支持するようにしたが、本発明はこのように構成する場合に限定されるものではなく、ヒンジを用いずに、第１の蓋板部１０２及び第２の蓋板部１０３をケーシング本体に着脱可能に取り付けるようにしても良いのはもちろんである。
【０１００】
また第１の蓋板部１０２及び第２の蓋板部１０３の一方をケーシング本体１Ａの上端又は固定梁の幅方向の端部にヒンジを介して開閉可能に支持し、他方をケーシング本体１Ａの上端に着脱可能に取り付けるようにしても良い。
【０１０１】
本実施形態では、ケーシングの開口部を閉じる蓋部を構成する固定梁１０１に、バスケット６をその回転軸５ととも支持した軸受装置４と、回転軸５を回転駆動する回転駆動装置７と、ケーキ掻取装置８と、給液パイプ９と、洗浄液供給パイプ１０とを取り付けているが、本発明においては、バスケット内に原液を供給する際にバスケットの内側に形成される液面のレベルを検出する液面レベル検出装置や、可動部材の限界位置を検出するリミットスイッチなど、必要に応じて更に他の機器を固定梁１０１に取り付けることを妨げない。また給液パイプやリミットスイッチなどの比較的軽量な部品を蓋板部１０２及び１０３の何れかに取り付けることも妨げない。
【０１０２】
上記の実施形態では、固定梁１０１に給液パイプ９とともに洗浄液供給パイプ１０を支持しているが、給液パイプ９を洗浄液供給パイプとしても用いることが可能な場合には、洗浄液供給パイプ１０を省略することもできる。
【０１０３】
固定梁１０１は、バスケット６の開口部６０４のうち作業用開口部とする部分を隠さないように、その幅寸法を十分に小さく設定してしておく必要がある。上記のように、固定梁１０１は、少なくとも軸受装置４と回転駆動装置７とケーキ掻取装置８と給液パイプ９とを支持し得る大きさを有している必要があるが、図２から明らかなように、これらの部品のうち、固定梁１０１上で最も大きなスペースを占めるのは軸受装置４である。固定梁１０１の基板部１０１ａの幅寸法は、軸受装置４を支持し得る大きさに設定しておく必要があるが、このように固定梁を構成しておけば、軸受装置４の側方に、ケーキ掻取装置及び給液パイプ等を配置するスペースを確保することは容易である。回転駆動装置は通常軸受装置の上端に支持することができるため、回転駆動装置を配置するためのスペースは、必ずしも固定梁上に確保しておく必要はない。従って、固定梁の幅寸法を縮小して固定梁の両側に形成されるケーシングの開口部１B1及び１B2を十分に広い作業用開口部とし、バスケット６の開口部６０４のうち、作業用開口部とする部分を固定梁１０１により隠さないように固定梁を設計することは容易である。
【０１０４】
上記の実施形態では、固定梁１０１を、基板部１０１ａと、基板部１０１ａの幅方向の両端からそれぞれ上方に起立した状態で設けられて基板部１０１ａに溶接等により一体化された一対の長方形の補強板１０１ｂ、１０１ｃとにより構成したが、横断面がＵ字形を呈する市販のチャンネル材により固定梁１０１を構成することもでき、Ｌ字型鋼等の他の鋼材により固定梁１０１を構成することもできる。また機械的な強度を確保できるのであれば、固定梁１０１を十分な厚みを有する１枚の帯状の金属板により構成することもできる。蓋板部１０２及び１０３は、それほど高い機械的強度を有している必要はないため、比較的薄い金属板により構成することができる。
【０１０５】
上記の実施形態では、固定梁１０１の両側に設ける蓋板部１０２、１０３の双方をケーシング本体の上端又は固定梁の幅方向の端部に回動可能に取り付けるか、又は着脱可能に取り付けているが、固定梁１０１の幅方向の片側にのみ作業用開口部を開口させれば済む場合には、一方の蓋板部を開閉も取り外しもできないように設けることもできる。
【符号の説明】
【０１０６】
１  ケーシング
１Ａ  ケーシング本体
１Ｂ  ケーシング本体の開口部
１B1  第１の開口部
１B2  第２の開口部
１Ｃ  ケーシング本体の開口部を閉じる蓋部
１Ｇ  ケーシング本体の外フランジ
１０１  固定梁
１０２  第１の蓋板部
１０２Ａ  蓋板構成部材
１０２Ｂ  蓋板構成部材
１０３  第２の蓋板部
１０４  第１のフランジ板
１０５  第２のフランジ板
１１１  第１のパッキン
１１２  第２のパッキン
２１Ａ  ヒンジ
２１Ｂ  ヒンジ
２０１  第１のヒンジ
２０１′第２のヒンジ
２０２  第１のヒンジ変位機構
２０２′第２のヒンジ変位機構
２０４  第１の支持金具
２０５  第１の可動軸
２０６  ピン
２０７  第１の可動部材
２１０  固定部材
２１１  回転部材
２１４  端部材
２１５  操作ハンドル
Ｃ１，Ｃ２  カム面
４    軸受装置
５  回転軸
６  バスケット
６０１  バスケットの周壁部
６０２  バスケットの底壁部
６０３  バスケットの環状の端部壁
６０４  バスケットの開口部
７  回転駆動装置
７Ａ  回転駆動源
７Ｂ  減速機
７０１  減速機ケース
８  ケーキ掻取装置
８Ａ  掻取軸
８Ｂ  掻取アーム
８Ｃ  掻取刃
８Ｄ  掻取アーム旋回用電動機
８Ｅ  掻取軸昇降用電動機
８Ｆ  掻取軸昇降機構
９  給液パイプ
１０  洗浄液供給パイプ
【図１】
2018183764.tif 000003
【図２】
2018183764.tif 000004
【図３】
2018183764.tif 000005
【図４】
2018183764.tif 000006
【図５】
2018183764.tif 000007
【図６】
2018183764.tif 000008
【図７】
2018183764.tif 000009
【図８】
2018183764.tif 000010
【図９】
2018183764.tif 000011
【図１０】
2018183764.tif 000012
【図１１】
2018183764.tif 000013